(57)【特許請求の範囲】
【請求項１】
光ピックアップの対物レンズが対向するディスクの位置出し調整機構において、前記ディスクの偏芯した位置に設けられたサンプリングポイントを通過してディスク面に沿うＸ軸およびＹ軸を設定すると共に、前記対物レンズを保持した光ピックアップを固定する光ピックアップ固定部と、前記ディスクを該ディスクの中心軸を中心に回転させるディスク回転機構と、前記ディスクを前記Ｘ軸方向およびＹ軸方向にスライド移動させる平行移動調整機構と、前記ディスクを前記Ｘ軸およびＹ軸を中心に回転調整する回転調整機構とを備えて成ることを特徴とする対物レンズに対するディスクの位置出し調整機構。
【請求項２】
前記Ｘ軸方向は前記ディスクの接線方向であると共に、前記Ｙ軸方向は前記ディスクの径方向であることを特徴とする請求項１記載の対物レンズに対するディスクの位置出し調整機構。
【請求項３】
前記平行移動調整機構は、Ｘ方向調整機構とＹ方向調整機構とを備えることを特徴とする請求項１または２記載の対物レンズに対するディスクの位置出し調整機構。
【請求項４】
前記回転調整機構は、Ｘ軸回転調整機構とＹ軸回転調整機構とを備えることを特徴とする請求項１から３までのいずれか記載の対物レンズに対するディスクの位置出し調整機構。
【請求項５】
請求項１から４までのいずれか記載の対物レンズに対するディスクの位置出し調整機構を備えたことを特徴とする光ピックアップの評価機。
【発明の詳細な説明】
【０００１】
【発明の属する技術分野】
本発明は、光ピックアップの信号読み込み検査を行うための対物レンズに対するディスクの位置出し調整機構および光ピックアップの評価機に関する。更に詳述すると、本発明は、ディスクと対物レンズとの距離を一定に維持しながら、対物レンズに対するディスクの位置や傾斜角度を変更するディスクの位置出し調整機構および光ピックアップの評価機に関する。
【０００２】
【従来の技術】
ＣＤやＤＶＤ等のディスクに対して情報を読み書きする光ピックアップでは、組み立て途中においてレーザダイオード（ＬＤ）やディテクタ（ＤＴ）の位置調整をする必要がある。各光ピックアップの調整に先立って、初期条件を与えるために基準となる光ピックアップを固定セットする。そして、その対物レンズから一定距離を設けてディスクを回転させて実際にディスクから情報の読み取りを行いながら、ディスクを傾けたりディスク面に沿って平行移動させて、信号特性が最適に成るディスク位置を求める。この最適条件に位置させたディスクを固定したままで、各光ピックアップのＬＤとＤＴの調整を順次行うようにしている。
【０００３】
ここで、光ピックアップに対するディスクの傾斜角度や平行位置を変化させるための適切な良い方法がなく、光ピックアップとディスク間の位置調整に手間取る形となっている。
【０００４】
一方、ＬＤとＤＴとを位置決め調整した完成品としての光ピックアップについて、評価機を用いて信号特性の個体値を評価する。この評価機では、上述したディスクの位置出し調整と同様に、適切な良い方法がなく、光ピックアップとディスク間の位置調整に手間取る形となっている。
【０００５】
【発明が解決しようとする課題】
上述したディスクの位置出し調整および光ピックアップの評価機では、調整精度の確保及び調整作業の難しさがあり、作業が煩雑になってしまう。
【０００６】
そこで、本発明は、傾斜調整の煩雑さを防止できる対物レンズに対するディスクの位置出し調整機構および光ピックアップの評価機を提供することを目的とする。
【０００７】
【課題を解決するための手段】
かかる目的を達成するため、請求項１記載の発明は、光ピックアップの対物レンズが対向するディスクの位置出し調整機構において、ディスクの偏芯した位置に設けられたサンプリングポイントを通過してディスク面に沿うＸ軸およびＹ軸を設定すると共に、対物レンズを保持した光ピックアップを固定する光ピックアップ固定部と、ディスクを該ディスクの中心軸を中心に回転させるディスク回転機構と、ディスクをＸ軸方向およびＹ軸方向にスライド移動させる平行移動調整機構と、ディスクをＸ軸およびＹ軸を中心に回転調整する回転調整機構とを備えて成るようにしている。
【０００８】
したがって、Ｘ軸およびＹ軸がいずれもサンプリングポイントを通過していると共に、回転調整機構がＸ軸およびＹ軸を中心にディスクを傾斜させるので、ディスクの傾斜調整の際に対物レンズとサンプリングポイントとの間隔を一定にすることができる。このため、ディスクの傾斜調整の度に平行方向の補正を行う必要が無くなるので、調整作業を容易化かつ迅速化することができる。
【０００９】
また、請求項２記載の発明は、請求項１記載の対物レンズに対するディスクの位置出し調整機構において、Ｘ軸方向はディスクの接線方向であると共に、Ｙ軸方向はディスクの径方向であるようにしている。したがって、Ｘ軸方向に平行移動調整すると、対物レンズにより形成されるレーザ光のスポットをディスクのピット列に沿った方向に調整することができる。また、Ｙ軸方向に平行移動調整すると、対物レンズにより形成されるスポットをディスクのピット列とディスク面上で直交する方向に調整することができる。
【００１０】
さらに、請求項３記載の発明は、請求項１または２記載の対物レンズに対するディスクの位置出し調整機構において、平行移動調整機構はＸ方向調整機構とＹ方向調整機構とを備えるようにしている。したがって、ディスクの平行移動調整の際に、Ｘ方向とＹ方向とをそれぞれ別個に調整することができる。
【００１１】
そして、請求項４記載の発明は、請求項１から３までのいずれか記載の対物レンズに対するディスクの位置出し調整機構において、回転調整機構はＸ軸回転調整機構とＹ軸回転調整機構とを備えるようにしている。したがって、ディスクの傾斜調整の際に、Ｘ軸を中心とする傾斜とＹ軸を中心とする傾斜とをそれぞれ別個に調整することができる。
【００１２】
一方、請求項５記載の光ピックアップの評価機は、請求項１から４までのいずれか記載の対物レンズに対するディスクの位置出し調整機構を備えている。したがって、光ピックアップの情報読み取りの特性評価の際にディスクの傾斜調整の度に平行方向の補正を行う必要が無くなるので、評価作業を容易化することができる。
【００１３】
【発明の実施の形態】
以下、本発明の構成を図面に示す実施の形態の一例に基づいて詳細に説明する。図１〜図７に本発明の対物レンズに対するディスクの位置出し調整機構１の一実施形態を示す。この対物レンズに対するディスクの位置出し調整機構１は、形状を簡略化して示す光ピックアップ２の対物レンズ３が対向するディスク４の位置出しを調整する機構である。そして、この位置出し調整機構１では、ディスク４の偏芯した位置に設けられたサンプリングポイントＳを通過してディスク面に沿うＸ軸およびＹ軸を設定している。
【００１４】
この位置出し調整機構１は、対物レンズ３を保持した光ピックアップ２を固定するピックアップ固定部（図示せず）と、ディスク４を該ディスク４の中心軸Ｃを中心に回転させるディスク回転機構５と、ディスク４をＸ軸方向およびＹ軸方向にスライド移動させる平行移動調整機構６と、ディスク４をＸ軸およびＹ軸を中心に回転調整する回転調整機構７とを備えている。このため、Ｘ軸およびＹ軸がいずれもサンプリングポイントＳを通過していると共に、回転調整機構７がＸ軸およびＹ軸を中心にディスク４を傾斜させるので、ディスク４の傾斜調整の際に対物レンズ３とサンプリングポイントＳとの間隔を一定にすることができる。これにより、ディスク４の傾斜調整の度に平行方向の補正を行う必要が無くなるので、調整作業を容易化かつ迅速化することができる。
【００１５】
本実施形態ではディスク４は直径７０〜８０ｍｍのものを利用している。ディスク回転機構５は、ディスク４を定速で回転させるモータ８と、セルフチャッキング機能付きのターンテーブル９とを備えている。ディスク４のサンプリングポイントＳは、ディスク４の回転中心から３０ｍｍ以上としている。本実施形態では、直径８０ｍｍのディスク４を用いると共に、中心から３２ｍｍ離れた位置をサンプリングポイントＳとしている。また、ディスク４は鉛直又は水平に支持されるようにしている。
【００１６】
ピックアップ固定部は、光ピックアップ２を位置出し調整機構１に対して固定する。すなわち、光ピックアップ２は固定されたままで、ディスク４の方が接近や離隔をしたり、あるいは平行移動や傾斜するようにしている。
【００１７】
Ｘ軸方向はディスク４の接線方向であると共に、Ｙ軸方向はディスク４の径方向であるようにしている。したがって、Ｘ軸方向に平行移動調整すると、対物レンズ３により形成されるレーザ光のスポットをディスク４のピット列に沿った方向に調整することができる。また、Ｙ軸方向に平行移動調整すると、対物レンズ３により形成されるスポットをディスク４のピット列とディスク面上で直交する方向に調整することができる。
【００１８】
平行移動調整機構６は、Ｘ方向調整機構１０とＹ方向調整機構１１とを備えている。このため、ディスク４の平行移動調整の際に、Ｘ方向とＹ方向とをそれぞれ別個に調整することができる。ここでの平行方向とはディスク面に対しての平行を意味している。また、本実施形態ではＸ方向を鉛直方向にしてＹ方向を水平方向にしている。ただし、これには限られずＸ方向を水平方向にしてＹ方向を鉛直方向にしたり、あるいはディスク４を水平に設けてＸ方向およびＹ方向ともに水平に成るようにしても良い。
【００１９】
Ｘ方向調整機構１０は、図６および図７に示すように、Ｘ方向に固定された第１支持部材１２に対してディスク回転機構５に固定された第２支持部材１３をＸ方向に摺動調整するものである。第２支持部材１３は第１支持部材１２の調整孔１４に固定ボルト１５によりねじ止めされている。調整孔１４は固定ボルト１５に対して十分に大きな径に形成しており、固定ボルト１５を緩めることによりディスク回転機構５がＸ方向に摺動可能になる。
【００２０】
Ｘ方向調整機構１０は、ディスク回転機構５をＸ方向に押圧する例えばＭ２の調整ねじ１６と、ディスク回転機構５を調整ねじ１６側に片寄せする付勢ばね１７とを備えている。調整ねじ１６には、バックラッシを打ち消す付勢ばね１８が設けられている。また、ディスク回転機構５がＸ方向の基準位置にあるときに第１支持部材１２と第２支持部材１３とを貫通する基準孔１９が形成されている。このため、基準孔１９に軸状部材を貫通させることにより、ディスク回転機構５をＸ方向の基準位置に位置合わせすることができる。
【００２１】
ディスク４をＸ軸方向に平行移動調整するときは、固定ボルト１５を緩めると共に軸状部材を抜き取った状態で調整ねじ１６を回転させてディスク回転機構５をＸ軸方向に平行移動させる。このとき、ディスク回転機構５は付勢ばね１７により常に片寄せされているので、がたつくことが防止される。また、Ｍ２の調整ねじ１６のピッチは要求する位置決め精度に比べて余り大きくないので、レーザスポットとスピンドルモータ中心との位置関係を容易に微調整することができる。そして、Ｘ方向の位置が決定してから固定ボルト１５を締めることにより、位置固定を行うことができる。
【００２２】
Ｙ方向調整機構１１は、Ｙ方向に固定された第３支持部材２０に対してディスク回転機構５に固定された第１支持部材１２をＹ方向に摺動調整するものである。Ｙ方向調整機構１１は、第３支持部材２０に形成した調整孔２１と、該調整孔２１を貫通して第１支持部材１２をねじ止めする固定ボルト２２と、第３支持部材２０にＹ方向に並んで取り付けられた基準ピン２３とを備えている。調整孔２１はＹ方向に長い長孔であり、固定ボルト２２を緩めることによりディスク回転機構５がＹ方向に摺動可能になる。このとき、第１支持部材１２のＹ方向に平行な辺が基準ピン２３に案内されるので、正確にＹ方向に摺動できる。
【００２３】
ディスク４をＹ軸方向に平行移動調整するときは、固定ボルト２２を緩めてディスク回転機構５を手動でＹ軸方向に平行移動させる。ディスク４の位置を決めてから固定ねじを締めてディスク回転機構５を固定する。そして、Ｙ方向の位置が決定してから固定ボルト２２を締めることにより、位置固定を行うことができる。ここで、ディスク４のＹ方向の位置決めは、光ピックアップ２がディスク４の情報を読み取れる程度の精度で決定すれば良いので、長孔２１に沿って手動で摺動させることにより十分な調整精度を得られると共に迅速な位置決めを行うことができる。
【００２４】
回転調整機構７は、Ｘ軸回転調整機構２４とＹ軸回転調整機構２５とを備えている。このため、ディスク４の傾斜調整の際に、Ｘ軸を中心とする傾斜とＹ軸を中心とする傾斜とをそれぞれ別個に調整することができる。
【００２５】
Ｙ軸回転調整機構２５は、Ｙ軸の回転方向に固定された第４支持部材２６に対してディスク回転機構５に固定された第５支持部材２７をＹ軸を中心に回転調整するものである。第５支持部材２７は第４支持部材２６に対してＹ軸を中心とする回転軸２８により回転可能に支持されている。本実施形態では、回転軸２８が第４支持部材２６により回転可能に支持されると共に、回転軸２８の両端部に第５支持部材２７が固定されて同時に回転するように設けられている。
【００２６】
Ｙ軸回転調整機構２５は、第４支持部材２６に固定されると共に第５支持部材２７を押圧して回転可能なマイクロメータ２９と、第５支持部材２７をマイクロメータ２９側に片寄せする付勢ばね３０とを備えている。付勢ばね３０は例えば引張コイルばねとしている。また、ディスク回転機構５がＹ軸を中心とする傾斜方向の基準位置にあるときに第４支持部材２６と第５支持部材２７とを貫通する基準孔３１が形成されている。このため、基準孔３１に軸状部材を貫通させることにより、ディスク回転機構５をＹ軸を中心とする傾斜方向の基準位置に位置合わせすることができる。
【００２７】
ディスク４をＹ軸を中心として回転調整するときは、軸状部材を抜き取った状態でマイクロメータ２９を操作して付勢ばね３０に抗して第５支持部材２７を回転軸２８を中心に回転させる。これにより、ディスク回転機構５をＹ軸を中心にして回転させることができる。そして、Ｙ軸を中心とする回転方向の位置が決定してからマイクロメータ２９のヘッドをロックすることにより、位置固定を行うことができる。
【００２８】
Ｘ軸回転調整機構２４は、Ｘ軸の回転方向に固定された第６支持部材３２に対してディスク回転機構５に固定された第７支持部材３３をＸ軸を中心に回転調整するものである。第７支持部材３３は第６支持部材３２に対してＸ軸を中心とする回転軸３４により回転可能に支持されている。
【００２９】
Ｘ軸回転調整機構２４は、第６支持部材３２に固定されると共に第７支持部材３３を押圧して回転可能なマイクロメータ３５と、第７支持部材３３をマイクロメータ３５側に片寄せする付勢ばね３６とを備えている。付勢ばね３６は例えば引張コイルばねとしている。また、ディスク回転機構５がＸ軸を中心とする傾斜方向の基準位置にあるときに第６支持部材３２と第７支持部材３３とを貫通する基準孔３７が形成されている。このため、基準孔３７に軸状部材を貫通させることにより、ディスク回転機構５をＸ軸を中心とする傾斜方向の基準位置に位置合わせすることができる。
【００３０】
ディスク４をＸ軸を中心として回転調整するときは、軸状部材を抜き取った状態でマイクロメータ３５を操作して付勢ばね３６に抗して第７支持部材３３を回転軸３４を中心に回転させる。これにより、ディスク回転機構５をＸ軸を中心にして回転させることができる。そして、Ｘ軸を中心とする回転方向の位置が決定してからマイクロメータ３５のヘッドをロックすることにより、位置固定を行うことができる。
【００３１】
第６支持部材３２は、位置出し調整機構１の基台３８に対して光ピックアップ２の光軸方向Ｌに摺動可能に設けられている。この位置出し調整機構１では、基台３８に光軸方向Ｌに沿ったレール３９と、該レール３９に摺動可能に取り付けられると共に第６支持部材３２が固定されるスライダ４０とを設けている。そして、第６支持部材３２には光軸方向Ｌに沿って伸縮可能なピストン機構４１が取り付けられている。このため、このピストン機構４１の作動によりディスク回転機構５と平行移動調整機構６と回転調整機構７とがディスク４と共に摺動される。
【００３２】
また、ディスク４が光ピックアップ２に対して合焦のために適正な間隔（例えば１．４ｍｍであり、図中想像線で示す）をあけて位置した基準位置にあるときに基台３８に対して第６支持部材３２の位置を固定する間隔用基準孔（図示せず）が形成されている。このため、この間隔用基準孔に軸状部材を貫通させることにより、ディスク４を基準位置に位置合わせすることができる。
【００３３】
さらに、レール３９の一端部には、ディスク４が光ピックアップ２に対して適正な間隔を微調整する為に、衝撃吸収式の調整用度当たり４２を設けている。
【００３４】
上述した位置出し調整機構１により光ピックアップ２のＬＤおよびＤＴの調整を行う手順を以下に説明する。
【００３５】
製品となる光ピックアップ２の調整の前に、基準光ピックアップ２を利用して最適な信号特性を得られるように位置出し調整機構１の各部分の設定を行う。まず、光ピックアップ固定部に基準用の光ピックアップ２を装着する。そして、ディスク回転機構５にディスク４を保持させて回転させる。また、光ピックアップ２による信号の読み取りも開始する。
【００３６】
ピストン機構４１を駆動させて、間隔用基準孔に軸状部材を貫通させてディスク４を基準位置に位置合わせする。このときに度当たり４２の位置を微調整して光ピックアップ２とディスク４との間隔を適正距離としておく。
【００３７】
そして、Ｘ軸回転調整機構２４の基準孔３７に軸状部材を貫通させて基準位置の位置出しを行う。光ピックアップ２で読み取った信号を確認しながら、最良の信号特性を得られるようにマイクロメータ３５によりＸ軸を中心とする傾きを調整する。調整完了後、マイクロメータ３５のヘッドをロックする。
【００３８】
さらに、Ｙ軸回転調整機構２５の基準孔３１に軸状部材を貫通させて基準位置の位置出しを行う。光ピックアップ２で読み取った信号を確認しながら、最良の信号特性を得られるようにマイクロメータ２９によりＹ軸を中心とする傾きを調整する。調整完了後、マイクロメータ２９のヘッドをロックする。
【００３９】
また、Ｘ方向調整機構１０の基準孔１９に軸状部材を貫通させて基準位置の位置出しを行う。光ピックアップ２で読み取った信号を確認しながら、最良の信号特性を得られるように調整ねじ１６を調整する。調整完了後、固定ボルト１５を締めることにより位置固定する。これにより、信号読み取りの位相を合わせることができる。
【００４０】
さらに、基準ピン２３に第１支持部材１２を押し当てながらディスク４をＹ方向に摺動させて、固定ボルト２２を調整孔２１の中央付近で仮固定する。光ピックアップ２で読み取った信号を確認しながら、最良の信号特性を得られるように固定ボルト２２の位置を調整する。調整完了後、固定ボルト２２を締めて位置固定する。
【００４１】
上述した手順により基準用の光ピックアップ２について信号特性が最適になるディスク位置・傾斜が得られる。そして、ピストン機構４１を駆動してディスク４を光ピックアップ２から離隔させて、調整を要する別の光ピックアップ２に取り替える。再びピストン機構４１を駆動してディスク４を光ピックアップ２に接近させる。このとき、度当たり４２によりディスク４を再度、調整位置に位置合わせすることができる。そして、ディスク４の位置・傾斜はそのままで、光ピックアップ２の信号読み取りを行いながらＬＤとＤＴの調整を行う。これにより、装着した光ピックアップ２を、基準とした光ピックアップ２と同様の信号特性に設定することができる。
【００４２】
なお、上述の実施形態は本発明の好適な実施の一例ではあるがこれに限定されるものではなく本発明の要旨を逸脱しない範囲において種々変形実施可能である。例えば上述した実施形態ではＸ軸回転調整機構２４およびＹ軸回転調整機構２５での傾角調整にマイクロメータ２９，３５を利用しているが、これには限られずボールねじ等を利用するようにしても良い。この場合も、回転調整機構７によりディスク４を高精度に傾斜調整することができる。
【００４３】
また、本実施形態では、ピックアップ固定部とディスク回転機構５と平行移動調整機構６と回転調整機構７とを備えた光ピックアップ２のＬＤおよびＤＴの調整を行うためのディスク位置出し調整機構１として利用しているが、これには限られず光ピックアップ２の信号特性を評価する評価機として利用するようにしても良い。ここでの評価機は、装着した光ピックアップ２の信号特性が最良となるときのディスク４の位置・傾斜を求めるために使用することができる。
【００４４】
この評価機４３は、図８〜図２３に示すように、ピックアップ固定部４４とディスク回転機構５と平行移動調整機構６と回転調整機構７とを備えている。ピックアップ固定部４４は、光ピックアップ２を保持したまま光軸方向Ｌに摺動可能にしている。このため、ディスク４と光ピックアップ２との間隔合わせはピックアップ固定部４４により行う。
【００４５】
平行移動調整機構６は、図１２〜図１５に示すようにＸ方向調整機構１０とＹ方向調整機構１１とを備えている。
【００４６】
Ｘ方向調整機構１０は、基台３８に対してディスク回転機構５をＸ方向に摺動調整するものである。ディスク回転機構５は、リニアスライダ４４によりＸ方向に摺動可能に支持されている。Ｘ方向調整機構１０は、ディスク回転機構５を基台３８に対してＸ方向に摺動させるマイクロメータ４５と、マイクロメータ４５の先端に摺動させる部材が常に接触するように片寄せする付勢ばね（図示せず）とを備えている。このため、マイクロメータ４５の操作によりディスク４をＸ方向に摺動調整することができる。
【００４７】
Ｙ方向調整機構１１は、基台３８に対してディスク回転機構５をＹ方向に摺動調整するものである。ディスク回転機構５は、リニアスライダ４６によりＹ方向に摺動可能に支持されている。Ｙ方向調整機構１１は、ディスク回転機構５を基台３８に対してＹ方向に摺動させるボールねじ機構４７と、このボールねじ機構４７を作動させるステッピングモータ４８とを備えている。このため、ステッピングモータ４８の駆動によりディスク４をＹ方向に摺動調整することができる。
【００４８】
回転調整機構７は、図８〜図１１に示すようにＸ軸回転調整機構２４とＹ軸回転調整機構２５とを備えている。
【００４９】
Ｘ軸回転調整機構２４は、図１６〜図１９に示すように、基台３８に対してディスク回転機構５をＸ軸を中心に回転調整するものである。ディスク回転機構５は、Ｘ軸を中心とする回転軸３４により回転可能に支持されている。Ｘ軸回転調整機構２４は、回転軸３４に固定されて共に揺動可能なＸ側アーム４９と、該Ｘ側アーム４９の側部を押圧してディスク回転機構５をＸ軸を中心に傾動可能なボールねじ機構５０と、このボールねじ機構５０を作動させるステッピングモータ５１とを備えている。このため、ステッピングモータ５１の駆動によりディスク４をＸ軸を中心に回転調整することができる。
【００５０】
Ｙ軸回転調整機構２５は、図２０〜図２３に示すように、基台３８に対してディスク回転機構５をＹ軸を中心に回転調整するものである。ディスク回転機構５は、Ｙ軸を中心とする回転軸２８により回転可能に支持されている。Ｙ軸回転調整機構２５は、回転軸２８に固定されて共に揺動可能なＹ側アーム５２と、該Ｙ側アーム５２の側部を押圧してディスク回転機構５をＹ軸を中心に傾動可能なボールねじ機構５３と、このボールねじ機構５３を作動させるステッピングモータ５４とを備えている。このため、ステッピングモータ５４の駆動によりディスク４をＹ軸を中心に回転調整することができる。
【００５１】
ディスク回転機構５と平行移動調整機構６と回転調整機構７とは一体的な組立体を形成している。そして、この組立体は、基台３８に対してＸ軸方向に摺動可能に設けられている。この評価機４３では、基台３８にＸ軸方向に沿ったレール３９と、該レール３９に摺動可能に取り付けられると共に組立体が固定されるスライダ４０と、スライダ４０を摺動可能なピストン機構４１が設けられている。このため、このピストン機構４１の作動により組立体がディスク４と共に摺動される。
【００５２】
この評価機４３によれば、光ピックアップ２の情報読み取りの特性評価の際にディスク４の傾斜調整（つまり傾角ジッタ特性評価）の度に平行方向の補正を行う必要が無くなるので、評価作業を容易化することができる。また、調整用にステッピングモータ４８，５１，５４を利用しているので、調整作業の容易化を図ることができる。
【００５３】
【発明の効果】
以上の説明より明らかなように、請求項１記載の対物レンズに対するディスクの位置出し調整機構によれば、Ｘ軸およびＹ軸がいずれもサンプリングポイントを通過していると共に、回転調整機構がＸ軸およびＹ軸を中心にディスクを傾斜させるので、ディスクの傾斜調整の際に対物レンズとサンプリングポイントとの間隔を一定にすることができる。このため、ディスクの傾斜調整の度に平行方向の補正を行う必要が無くなるので、調整作業を容易化かつ迅速化することができる。
【００５４】
また、請求項２記載の対物レンズに対するディスクの位置出し調整機構によれば、Ｘ軸方向はディスクの接線方向にしているので、Ｘ軸方向に平行移動調整すると、対物レンズにより形成されるレーザ光のスポットをディスクのピット列に沿った方向に調整することができ、これにより位相調整を行うことができる。また、Ｙ軸方向はディスクの径方向にしているので、Ｙ軸方向に平行移動調整すると、対物レンズにより形成されるスポットをディスクのピット列とディスク面上で直交する方向に調整することができる。
【００５５】
さらに、請求項３記載の対物レンズに対するディスクの位置出し調整機構によれば、ディスクの平行移動調整の際に、Ｘ方向とＹ方向とをそれぞれ別個に調整することができる。
【００５６】
そして、請求項４記載の対物レンズに対するディスクの位置出し調整機構によれば、ディスクの傾斜調整の際に、Ｘ軸を中心とする傾斜とＹ軸を中心とする傾斜とをそれぞれ別個に調整することができる。
【００５７】
一方、請求項５記載の光ピックアップの評価機によれば、光ピックアップの情報読み取りの特性評価の際にディスクの傾斜調整の度に平行方向の補正を行う必要が無くなるので、評価作業を容易化することができる。
【図面の簡単な説明】
【図１】本発明のディスクの位置出し調整機構での位置関係を示す斜視図である。
【図２】ディスクの位置出し調整機構を示す正面図である。
【図３】ディスクの位置出し調整機構を示す平面図である。
【図４】ディスクの位置出し調整機構を示す背面図である。
【図５】ディスクの位置出し調整機構を示す右側面図である。
【図６】Ｘ方向調整機構を示す拡大した正面図である。
【図７】Ｙ方向調整機構を示す拡大した平面図である。
【図８】光ピックアップの評価機の全体を示す平面図である。
【図９】光ピックアップの評価機の全体を示す正面図である。
【図１０】光ピックアップの評価機の全体を示す左側面図である。
【図１１】光ピックアップの評価機の全体を示す右側面図である。
【図１２】光ピックアップの評価機の平行移動調整機構を示す平面図である。
【図１３】光ピックアップの評価機の平行移動調整機構を示す正面図である。
【図１４】光ピックアップの評価機の平行移動調整機構を示す左側面図である。
【図１５】光ピックアップの評価機の平行移動調整機構を示す右側面図である。
【図１６】光ピックアップの評価機のＸ軸回転調整機構を示す平面図である。
【図１７】光ピックアップの評価機のＸ軸回転調整機構を示す正面図である。
【図１８】光ピックアップの評価機のＸ軸回転調整機構を示す左側面図である。
【図１９】光ピックアップの評価機のＸ軸回転調整機構を示す右側面図である。
【図２０】光ピックアップの評価機のＹ軸回転調整機構を示す平面図である。
【図２１】光ピックアップの評価機のＹ軸回転調整機構を示す正面図である。
【図２２】光ピックアップの評価機のＹ軸回転調整機構を示す左側面図である。
【図２３】光ピックアップの評価機のＹ軸回転調整機構を示す右側面図である。
【符号の説明】
１  対物レンズに対するディスクの位置出し調整機構
２  光ピックアップ
３  対物レンズ
４  ディスク
５  ディスク回転機構
６  平行移動調整機構
７  回転調整機構
１０  Ｘ方向調整機構
１１  Ｙ方向調整機構
２４  Ｘ軸回転調整機構
２５  Ｙ軸回転調整機構
４３  光ピックアップの評価機
４４  光ピックアップ固定部
【図１】
0003850614.tif 000002
【図２】
0003850614.tif 000003
【図３】
0003850614.tif 000004
【図４】
0003850614.tif 000005
【図５】
0003850614.tif 000006
【図６】
0003850614.tif 000007
【図７】
0003850614.tif 000008
【図８】
0003850614.tif 000009
【図９】
0003850614.tif 000010
【図１０】
0003850614.tif 000011
【図１１】
0003850614.tif 000012
【図１２】
0003850614.tif 000013
【図１３】
0003850614.tif 000014
【図１４】
0003850614.tif 000015
【図１５】
0003850614.tif 000016
【図１６】
0003850614.tif 000017
【図１７】
0003850614.tif 000018
【図１８】
0003850614.tif 000019
【図１９】
0003850614.tif 000020
【図２０】
0003850614.tif 000021
【図２１】
0003850614.tif 000022
【図２２】
0003850614.tif 000023
【図２３】
0003850614.tif 000024